(57)【要約】【課題】切換装置の第１開閉弁及び第２開閉弁のうちの一方が開弁されるとともに他方が閉弁された状態が長時間続いた後に両開閉弁の双方を開弁する場合でも、この長時間閉弁された状態にあった方の開閉弁を確実に開弁することが可能な液体噴射装置及び切換装置の切換方法を提供する。【解決手段】切換装置２５は、フォトブラックインクを供給する第１連結路４０と、マットブラックインクを供給する第２連結路４１と、両連結路４０，４１を開閉する第１開閉弁４３及び第２開閉弁４４と、両開閉弁４３，４４を開閉動作させる第１作動板５２及び第２作動板５３と、両開閉弁４３，４４のうちの一方が開弁し他方が閉弁した状態から両開閉弁４３，４４の双方が開弁した状態にする場合に、開弁した一方を閉弁することで閉弁した他方を開弁してから両開閉弁４３，４４の双方の開弁動作を許容するように、両作動板５２，５３を駆動制御する制御部５５とを備える。【選択図】図３
2009045863.tif 000002
【特許請求の範囲】
【請求項１】
液体を噴射する液体噴射ヘッドと、該液体噴射ヘッドへ供給される液体の種類を第１液体と該第１液体とは異なる第２液体との間で選択的に切り換える切換装置とを備えた液体噴射装置であって、
前記切換装置は、
前記第１液体を供給する第１供給路と、
前記第２液体を供給する第２供給路と、
前記第１供給路及び前記第２供給路の下流端同士の合流点と前記液体噴射ヘッドとの間を連通するヘッド側供給路と、
前記第１供給路における前記第２供給路との合流点よりも上流側において前記第１供給路を開閉する第１開閉弁と、
前記第２供給路における前記第１供給路との合流点よりも上流側において前記第２供給路を開閉する第２開閉弁と、
前記第１開閉弁及び前記第２開閉弁を開閉動作させるアクチュエータと、
前記アクチュエータによって前記第１開閉弁を閉弁動作させる際の閉弁力を、前記第２開閉弁を開弁動作させる開弁力として該第２開閉弁に伝達するとともに、前記アクチュエータによって前記第２開閉弁を閉弁動作させる際の閉弁力を、前記第１開閉弁を開弁動作させる開弁力として該第１開閉弁に伝達する伝達部材と、
前記第１開閉弁及び前記第２開閉弁のうちの一方が開弁しているとともに他方が閉弁している状態から前記第１開閉弁及び前記第２開閉弁の双方が開弁している状態にする場合に、前記第１開閉弁及び前記第２開閉弁のうちの開弁している一方を閉弁動作させることで閉弁している他方を開弁動作させてから前記第１開閉弁及び前記第２開閉弁の双方の開弁動作を許容するように、前記アクチュエータを駆動制御する制御手段と
を備えたことを特徴とする液体噴射装置。
【請求項２】
前記切換装置は前記制御手段によって駆動制御される回転式のカムを備え、該カムの回転駆動に伴って前記アクチュエータが駆動されることを特徴とする請求項１に記載の液体噴射装置。
【請求項３】
前記アクチュエータは、前記第１開閉弁を閉弁動作させる第１アクチュエータと前記第２開閉弁を閉弁動作させる第２アクチュエータとを備え、
前記第１アクチュエータ及び前記第２アクチュエータは、１つの前記カムの回転駆動に伴ってそれぞれ駆動されることを特徴とする請求項２に記載の液体噴射装置。
【請求項４】
前記カムには、該カムの回転駆動に伴い前記第１アクチュエータ及び前記第２アクチュエータが順次に係合する第１カム面と第２カム面とが形成されており、
前記両アクチュエータは、前記第１カム面に係合することによってそのアクチュエータが対応する開閉弁の開弁動作を許容する方向に変位する一方、前記第２カム面に係合することによってそのアクチュエータが対応する開閉弁を閉弁動作させる方向に変位する構成とされていることを特徴とする請求項３に記載の液体噴射装置。
【請求項５】
前記カムは、該カムの回転角度の変化に伴って、前記第１アクチュエータ及び前記第２アクチュエータの双方が前記第１カム面に係合する態様と、前記第１アクチュエータ及び前記第２アクチュエータのうちの一方が前記第１カム面に係合するとともに他方が前記第２カム面に係合する態様とをとり得る構成とされていることを特徴とする請求項４に記載の液体噴射装置。
【請求項６】
液体噴射装置の液体噴射ヘッドへ供給される液体の種類を第１液体と該第１液体とは異なる第２液体との間で選択的に切り換える切換装置の切換方法であって、
前記切換装置は、
前記第１液体を供給する第１供給路と、
前記第２液体を供給する第２供給路と、
前記第１供給路及び前記第２供給路の下流端同士の合流点と前記液体噴射ヘッドとの間を連通するヘッド側供給路と、
前記第１供給路における前記第２供給路との合流点よりも上流側において前記第１供給路を開閉する第１開閉弁と、
前記第２供給路における前記第１供給路との合流点よりも上流側において前記第２供給路を開閉する第２開閉弁と、
前記第１開閉弁を閉弁する際の閉弁力を、前記第２開閉弁を開弁するための開弁力として該第２開閉弁に伝達するとともに、前記第２開閉弁を閉弁する際の閉弁力を、前記第１開閉弁を開弁するための開弁力として該第１開閉弁に伝達する伝達部材とを備える構成とされ、
前記切換装置を前記第１開閉弁及び前記第２開閉弁のうちの一方が開弁しているとともに他方が閉弁している状態から前記第１開閉弁及び前記第２開閉弁の双方が開弁している状態に切り換える場合には、前記第１開閉弁及び前記第２開閉弁のうちの開弁している一方を閉弁することで閉弁している他方を開弁した後に、前記第１開閉弁及び前記第２開閉弁の双方の開弁動作を許容することを特徴とする切換装置の切換方法。
【発明の詳細な説明】
【技術分野】
【０００１】
本発明は、例えばインクジェット式プリンタなどの液体噴射装置及び該液体噴射装置に備えられる切換装置の切換方法に関する。
【背景技術】
【０００２】
一般に、液体をターゲットに対して噴射する液体噴射装置として、インクジェット式プリンタ（以下、「プリンタ」という。）が広く知られている。このプリンタは、インクカートリッジから供給されたインク（液体）を記録ヘッド（液体噴射ヘッド）のノズルから記録用紙（ターゲット）に噴射することで印刷を行うようになっている。こうしたプリンタでは、記録ヘッドから離れた位置にインクカートリッジが配置されている場合、そのインクカートリッジからプリンタ内部に引き回されたチューブを介してインクが記録ヘッド側に供給されるようになっている。
【０００３】
ところで、こうしたプリンタにおいては、記録ヘッドのノズルから噴射するインクを別の種類のインクに変更する場合、チューブ内に残存する変更前のインクを排出してからこのチューブを介して変更後のインクを記録ヘッド側に供給するようにしているため、変更前のインクを無駄に消費してしまうという問題があった。そこで、こうした問題に対処するため、従来から、記録ヘッドの近傍に各インクカートリッジとインクカートリッジ毎に対応したチューブを介して接続されるインクの切換装置を設けたプリンタが提案されている（例えば、特許文献１）。
【０００４】
この特許文献１のプリンタでは、切換装置内において、記録ヘッドに供給するインクの種類が、第１種類のインク（第１液体）と第２種類のインク（第２液体）との間で切り換え可能になっている。すなわち、切換装置内では、第１種類のインクを供給する第１通路部（第１供給路）の下流端と第２種類のインクを供給する第２通路部（第２供給路）の下流端とが合流しており、該合流点と記録ヘッドとの間がインクを記録ヘッドに供給するヘッド側供給路により接続されている。
【０００５】
さらに、この切換装置内には、第１通路部を開閉する第１ダイアフラム（第１開閉弁）と第２通路部を開閉する第２ダイアフラム（第２開閉弁）と、第１ダイアフラム及び第２ダイアフラムを開弁方向に付勢するバネが設けられている。そして、第１ダイアフラム及び第２ダイアフラムのうちの一方をバネの付勢力に抗して閉弁させると共に、他方を開弁させることにより、第１種類のインクと第２種類のインクとの供給状態を切り換えるようになっている。
【特許文献１】特開２００６−１７５６２６号公報
【発明の開示】
【発明が解決しようとする課題】
【０００６】
ところで、上記したような切換装置の中には、第１開閉弁及び第２開閉弁を開弁方向に付勢するバネを持たないものもある。そして、このようなバネを持たない切換装置において、第１開閉弁及び第２開閉弁のうちの一方が開弁されるとともに他方が閉弁された状態が長時間続いた後、第１開閉弁及び第２開閉弁の双方を開弁する場合には、閉弁された状態にあった方の開閉弁が弁座に貼り付いて開弁されなくなってしまうという問題があった。
【０００７】
本発明は、このような従来技術に存在する問題点に着目してなされたものである。その目的とするところは、切換装置の第１開閉弁及び第２開閉弁のうちの一方が開弁されるとともに他方が閉弁された状態が長時間続いた後に両開閉弁の双方を開弁する場合でも、この長時間閉弁された状態にあった方の開閉弁を確実に開弁することが可能な液体噴射装置及び切換装置の切換方法を提供することにある。
【課題を解決するための手段】
【０００８】
上記目的を達成するために、本発明の液体噴射装置は、液体を噴射する液体噴射ヘッドと、該液体噴射ヘッドへ供給される液体の種類を第１液体と該第１液体とは異なる第２液体との間で選択的に切り換える切換装置とを備えた液体噴射装置であって、前記切換装置は、前記第１液体を供給する第１供給路と、前記第２液体を供給する第２供給路と、前記第１供給路及び前記第２供給路の下流端同士の合流点と前記液体噴射ヘッドとの間を連通するヘッド側供給路と、前記第１供給路における前記第２供給路との合流点よりも上流側において前記第１供給路を開閉する第１開閉弁と、前記第２供給路における前記第１供給路との合流点よりも上流側において前記第２供給路を開閉する第２開閉弁と、前記第１開閉弁及び前記第２開閉弁を開閉動作させるアクチュエータと、前記アクチュエータによって前記第１開閉弁を閉弁動作させる際の閉弁力を、前記第２開閉弁を開弁動作させる開弁力として該第２開閉弁に伝達するとともに、前記アクチュエータによって前記第２開閉弁を閉弁動作させる際の閉弁力を、前記第１開閉弁を開弁動作させる開弁力として該第１開閉弁に伝達する伝達部材と、前記第１開閉弁及び前記第２開閉弁のうちの一方が開弁しているとともに他方が閉弁している状態から前記第１開閉弁及び前記第２開閉弁の双方が開弁している状態にする場合に、前記第１開閉弁及び前記第２開閉弁のうちの開弁している一方を閉弁動作させることで閉弁している他方を開弁動作させてから前記第１開閉弁及び前記第２開閉弁の双方の開弁動作を許容するように、前記アクチュエータを駆動制御する制御手段とを備えた。
【０００９】
通常、第１開閉弁及び第２開閉弁のうちの一方が開弁されるとともに他方が閉弁された状態が長時間続いた後、第１開閉弁及び第２開閉弁の双方を開弁する場合には、開弁動作が許容されても長時間閉弁された状態にあった方の開閉弁が弁座に貼り付いて開弁されなくなってしまうことがある。この点、この発明によれば、第１開閉弁及び第２開閉弁のうちの一方が開弁しているとともに他方が閉弁している状態から両開閉弁の双方が開弁している状態にする場合に、両開閉弁のうちの開弁している一方を閉弁動作させることで閉弁している他方が開弁動作されてから両開閉弁の双方の開弁動作が許容される。このため、第１開閉弁及び第２開閉弁のうちの一方が開弁されるとともに他方が閉弁された状態が長時間続くことで閉弁された状態にあった方の開閉弁が弁座に貼り付いたとしても、この閉弁された状態にあった方の開閉弁は、両開閉弁の双方の開弁動作が許容される前に一旦開弁されることで、弁座から確実に離間される。したがって、切換装置の第１開閉弁及び第２開閉弁のうちの一方が開弁されるとともに他方が閉弁された状態が長時間続いた後に両開閉弁の双方を開弁する場合でも、この長時間閉弁された状態にあった方の開閉弁を確実に開弁することが可能となる。
【００１０】
本発明の液体噴射装置において、前記切換装置は前記制御手段によって駆動制御される回転式のカムを備え、該カムの回転駆動に伴って前記アクチュエータが駆動される。
一般に、回転式のカムは、直線的にスライド移動する直動式のカムに比べて、駆動時に必要とするスペースが少ない。この点、この発明によれば、第１開閉弁及び第２開閉弁を開閉動作させるアクチュエータが回転式のカムの回転駆動に伴って駆動されるため、直動式のカムでアクチュエータを駆動させる場合に比べて必要とするスペースが少なくなる。したがって、液体噴射ヘッドへ供給する液体の種類を変更するための切換装置を小型化することが可能となる。
【００１１】
本発明の液体噴射装置において、前記アクチュエータは、前記第１開閉弁を閉弁動作させる第１アクチュエータと前記第２開閉弁を閉弁動作させる第２アクチュエータとを備え、前記第１アクチュエータ及び前記第２アクチュエータは、１つの前記カムの回転駆動に伴ってそれぞれ駆動される。
【００１２】
この発明によれば、１つの回転式のカムの回転駆動により、第１アクチュエータ及び第２アクチュエータの双方が駆動されるため、第１アクチュエータ及び第２アクチュエータを別々のカムによってそれぞれ駆動させる場合に比べて部品点数を少なくすることが可能となる。
【００１３】
本発明の液体噴射装置において、前記カムには、該カムの回転駆動に伴い前記第１アクチュエータ及び前記第２アクチュエータが順次に係合する第１カム面と第２カム面とが形成されており、前記両アクチュエータは、前記第１カム面に係合することによってそのアクチュエータが対応する開閉弁の開弁動作を許容する方向に変位する一方、前記第２カム面に係合することによってそのアクチュエータが対応する開閉弁を閉弁動作させる方向に変位する構成とされている。
【００１４】
この発明によれば、カムを一方向に回転駆動することで、第１アクチュエータ及び第２アクチュエータがそれぞれ駆動することにより、第１開閉弁及び第２開閉弁のうち、一方が閉弁されるとともに他方が開弁される状態と一方が開弁されるとともに他方が閉弁される状態との間で順次交互に切り換えることが可能となる。
【００１５】
本発明の液体噴射装置において、前記カムは、該カムの回転角度の変化に伴って、前記第１アクチュエータ及び前記第２アクチュエータの双方が前記第１カム面に係合する態様と、前記第１アクチュエータ及び前記第２アクチュエータのうちの一方が前記第１カム面に係合するとともに他方が前記第２カム面に係合する態様とをとり得る構成とされている。
【００１６】
この発明によれば、第１アクチュエータ及び第２アクチュエータの双方が第１カム面に係合するようにカムを駆動することで、第１開閉弁及び第２開閉弁の双方の開弁動作を同時に許容することが可能となる。
【００１７】
本発明の切換装置の切換方法は、液体噴射装置の液体噴射ヘッドへ供給される液体の種類を第１液体と該第１液体とは異なる第２液体との間で選択的に切り換える切換装置の切換方法であって、前記切換装置は、前記第１液体を供給する第１供給路と、前記第２液体を供給する第２供給路と、前記第１供給路及び前記第２供給路の下流端同士の合流点と前記液体噴射ヘッドとの間を連通するヘッド側供給路と、前記第１供給路における前記第２供給路との合流点よりも上流側において前記第１供給路を開閉する第１開閉弁と、前記第２供給路における前記第１供給路との合流点よりも上流側において前記第２供給路を開閉する第２開閉弁と、前記第１開閉弁を閉弁する際の閉弁力を、前記第２開閉弁を開弁するための開弁力として該第２開閉弁に伝達するとともに、前記第２開閉弁を閉弁する際の閉弁力を、前記第１開閉弁を開弁するための開弁力として該第１開閉弁に伝達する伝達部材とを備える構成とされ、前記切換装置を前記第１開閉弁及び前記第２開閉弁のうちの一方が開弁しているとともに他方が閉弁している状態から前記第１開閉弁及び前記第２開閉弁の双方が開弁している状態に切り換える場合には、前記第１開閉弁及び前記第２開閉弁のうちの開弁している一方を閉弁することで閉弁している他方を開弁した後に、前記第１開閉弁及び前記第２開閉弁の双方の開弁動作を許容する。
【００１８】
この発明によれば、請求項１と同様の作用効果が得られる。
【発明を実施するための最良の形態】
【００１９】
以下、本発明の液体噴射装置をインクジェット式プリンタに具体化した一実施形態を図面に基づいて説明する。なお、以下の説明において、「前後方向」、「左右方向」、「上下方向」をいう場合は図１に矢印で示す前後方向、左右方向、上下方向をそれぞれ示すものとする。
【００２０】
図１に示すように、液体噴射装置としてのインクジェット式プリンタ１１は平面視矩形状をなす本体フレーム１２を備えており、該本体フレーム１２内にはプラテン１３が主走査方向となる左右方向に沿って延設されている。このプラテン１３上には、図示しない紙送り機構により記録用紙（図示略）が副走査方向となる前後方向に沿って給送されるようになっている。また、本体フレーム１２内におけるプラテン１３の上方には、該プラテン１３の長手方向（左右方向）と平行に延びる棒状のガイド軸１４が架設されている。
【００２１】
このガイド軸１４には、キャリッジ１５が、該ガイド軸１４の軸線方向（左右方向）への往復移動可能な状態で支持されている。キャリッジ１５は、本体フレーム１２の後壁内面に設けられた一対のプーリ１６ａ間に掛装された無端状のタイミングベルト１６を介して本体フレーム１２の背面に設けられたキャリッジモータ１７に連結されている。したがって、キャリッジ１５は、キャリッジモータ１７の駆動により、ガイド軸１４に沿って往復移動されるようになっている。
【００２２】
図１及び図２に示すように、キャリッジ１５におけるプラテン１３と対向する下端側には、液体噴射ヘッドとしての記録ヘッド１８が支持されている。また、キャリッジ１５上には、一時貯留した液体としてのインクを記録ヘッド１８に供給する複数（本実施形態では４つ）のバルブユニット１９ａ〜１９ｄが設けられている。記録ヘッド１８の下面は、複数（本実施形態では３つ）のノズル列２０ａ〜２０ｃをそれぞれ構成する複数のノズルが開口するノズル形成面１８ａになっており、各ノズル列２０ａ〜２０ｃを構成する各ノズルの開口からプラテン１３上に給送された記録用紙（図示略）にそれぞれインク滴が噴射されることで印刷が行われるようになっている。
【００２３】
本体フレーム１２内の右端部には、カートリッジホルダ２１が設けられるとともに、該カートリッジホルダ２１には、互いに種類の異なるインクを収容した複数（本実施形態では４つ）のインクカートリッジ２２ａ〜２２ｄがそれぞれ着脱自在に装着されている。カートリッジホルダ２１は、キャリッジ１５上の各バルブユニット１９ａ〜１９ｄとそれぞれインク供給チューブ２４ａ〜２４ｄを介して接続されている。そして、カートリッジホルダ２１に各インクカートリッジ２２ａ〜２２ｄを装着した状態では、各インクカートリッジ２２ａ〜２２ｄがインク供給チューブ２４ａ〜２４ｄを介して各バルブユニット１９ａ〜１９ｄとそれぞれ連通するようになっている。
【００２４】
インクカートリッジ２２ａ及びインクカートリッジ２２ｂには、それぞれ第１液体としてのフォトブラックインク及び第２液体としてのマットブラックインクが収容されている。したがって、バルブユニット１９ａにはフォトブラックインクが一時貯留されるとともに、バルブユニット１９ｂにはマットブラックインクが一時貯留されるようになっている。
【００２５】
この場合、フォトブラックインクは記録用紙（図示略）が光沢系用紙である場合の印刷に適しており、マットブラックインクは記録用紙（図示略）がマット系用紙である場合の印刷に適している。そこで、キャリッジ１５上における両バルブユニット１９ａ，１９ｂと記録ヘッド１８との間には、該両バルブユニット１９ａ，１９ｂから記録ヘッド１８に供給されるインクがフォトブラックインク及びマットブラックインクのうちのいずれか一方となるように切り換えるための切換装置２５が設けられている。
【００２６】
すなわち、切換装置２５は、記録ヘッド１８のノズル列２０ａを構成する各ノズルから噴射されるインクを、例えば記録用紙（図示略）が光沢系用紙であるかマット系用紙であるかによって、フォトブラックインクとマットブラックインクとの間で切り換え可能になっている。なお、切換装置２５は、インクの切り換えを行う切換ユニット２５Ａと、該切換ユニット２５Ａを駆動する駆動ユニット２５Ｂとにより構成されている。
【００２７】
また、本体フレーム１２内の右端部寄り位置であって、キャリッジ１５のホームポジションには、記録ヘッド１８のクリーニング等のメンテナンスを行うためのメンテナンスユニット２６が配設されている。このメンテナンスユニット２６は、記録ヘッド１８の各ノズル列２０ａ〜２０ｃを囲うように該記録ヘッド１８に当接したり該各ノズル列２０ａ〜２０ｃをそれぞれ構成する各ノズルの開口からフラッシングによって吐出されるインクを受容したりするためのキャップ２７と、該キャップ２７内を吸引可能な吸引ポンプ（図示略）とを備えている。
【００２８】
そして、記録ヘッド１８の各ノズル列２０ａ〜２０ｃを囲うように該記録ヘッド１８にキャップ２７を当接した状態で該キャップ２７内を吸引ポンプ（図示略）によって吸引することで、記録ヘッド１８内の増粘したインクを、各ノズル列２０ａ〜２０ｃをそれぞれ構成する各ノズルの開口からキャップ２７内に強制的に排出させる、いわゆるクリーニングが行われるようになっている。
【００２９】
次に、切換装置２５を構成する切換ユニット２５Ａの構成について詳述する。
図３に示すように、切換ユニット２５Ａは、左右対称の略ブロック形状をなす本体３０を備えており、該本体３０の上面には左右方向に所定間隔を置いて対をなすように第１接続管３１及び第２接続管３２が立設されている。第１接続管３１はバルブユニット１９ａに接続されるとともに、第２接続管３２はバルブユニット１９ｂに接続されるようになっている。本体３０における左側面には左側に開口した円形の第１収容凹部３３が設けられるとともに、本体３０における右側面には右側に開口した円形の第２収容凹部３４が設けられている。
【００３０】
本体３０内には左右方向に直線状に延びる連結路３５が形成されており、該連結路３５を介して第１収容凹部３３と第２収容凹部３４とがこれらの底面３３ａ，３４ａの中心部において互いに連通している。すなわち、第１収容凹部３３の底面３３ａの中心部及び第２収容凹部３４の底面３４ａの中心部には、それぞれ連結路３５が開口している。
【００３１】
さらに、本体３０内には、第１接続管３１内と第１収容凹部３３内とを連通する第１流路３６と、第２接続管３２内と第２収容凹部３４内とを連通する第２流路３７とが形成されている。すなわち、第１収容凹部３３の底面３３ａにおける連結路３５の開口よりも上側には第１流路３６が開口しているとともに、第２収容凹部３４の底面３４ａにおける連結路３５の開口よりも上側には第２流路３７が開口している。
【００３２】
また、本体３０の下面における左右方向の中央部には第３接続管３８が下方に向かって突出するように設けられており、該第３接続管３８は記録ヘッド１８に接続されるようになっている。そして、本体３０内における連結路３５の左右方向の中央部における下側の位置には、該連結路３５内と第３接続管３８内とを連通する第３流路３９が形成されている。なお、本実施形態では、第３接続管３８内及び第３流路３９によりヘッド側供給路が構成されている。
【００３３】
連結路３５において、左右方向の中央部から左側の部分は第１連結路４０とされるとともに、左右方向の中央部から右側の部分は第２連結路４１とされている。したがって、連結路３５における中央部は、第１連結路４０と第２連結路４１との合流点Ｇとなっており、該合流点Ｇにおいて第１連結路４０、第２連結路４１、及び第３流路３９が互いに連通している。そして、本実施形態では、第１接続管３１内、第１流路３６、第１収容凹部３３内、及び第１連結路４０により第１供給路が構成されるとともに、第２接続管３２内、第２流路３７、第２収容凹部３４内、及び第２連結路４１により第２供給路が構成されている。
【００３４】
連結路３５内には、該連結路３５に沿って延びる丸棒状の伝達部材４２が配置されている。伝達部材４２は、その外径が連結路３５の内径よりも小さくなるように設定されており、連結路３５内を左右方向にスライド移動可能になっている。伝達部材４２は、その長手方向（左右方向）の長さが連結路３５の長さよりも若干長くなっており、その左右の両端部はそれぞれ第１収容凹部３３内及び第２収容凹部３４内に突出している。
【００３５】
第１収容凹部３３内及び第２収容凹部３４内には、円板状の可撓性を有する第１開閉弁４３及び該第１開閉弁４３と同一構成の第２開閉弁４４がそれぞれ遊嵌されている。そして、本体３０の左面には第１収容凹部３３の開口を密閉するように可撓性を有する第１フィルム４５が取着されているとともに、本体３０の右面には第２収容凹部３４の開口を密閉するように可撓性を有する第２フィルム４６が取着されている。
【００３６】
第１開閉弁４３の左面は第１フィルム４５の右面と面接触しているとともに、第１開閉弁４３の右面における中心部には伝達部材４２の左端面が当接している。したがって、第１開閉弁４３の右面と第１収容凹部３３の底面３３ａとの間には隙間が形成されている。一方、第２開閉弁４４の右面は第２フィルム４６の左面と面接触しているとともに、第２開閉弁４４の左面における中心部には伝達部材４２の右端面が当接している。したがって、第２開閉弁４４の左面と第２収容凹部３４の底面３４ａとの間には隙間が形成されている。
【００３７】
次に、切換装置２５を構成する駆動ユニット２５Ｂの構成について詳述する。
図３に示すように、駆動ユニット２５Ｂは、外周縁が曲線で構成された非円形の板材からなる回転式のカムとしての板カム５１と、アクチュエータを構成する第１アクチュエータとしての第１作動板５２と、アクチュエータを構成する第２アクチュエータとしての第２作動板５３とを備えている。板カム５１の中央部には該板カム５１の後側に配設されたカムモータ５４から延びる出力軸５４ａが接続されており、カムモータ５４には該カムモータ５４を駆動制御するための制御手段としての制御部５５が電気的に接続されている。
【００３８】
したがって、板カム５１は、制御部５５によってカムモータ５４が駆動されることにより、出力軸５４ａを中心に正逆両方向に回動可能になっている。板カム５１の外周縁には、該板カム５１の回動に伴い第１作動板５２及び第２作動板５３が順次に係合する第１カム面５１ａと第２カム面５１ｂとが形成されている。第１カム面５１ａは、板カム５１の回転中心となる出力軸５４ａからの距離を半径とする円弧状をなすように形成される一方、第２カム面５１ｂは、出力軸５４ａからの距離が第１カム面５１ａよりも短くなる略弦状をなすように形成されている。
【００３９】
第１作動板５２と第２作動板５３とは、同一形状になっており、これらはともに略Ｚ字板状をなしている。第１作動板５２及び第２作動板５３は、これらのうち一方のみを裏返しにした状態で、これらの中央部において互いに交差するように重ね合わせられている。そして、第１作動板５２及び第２作動板５３は、これらと直交する前後方向に延びる１つの軸５６により、互いにこれらの交差点となる中央部において揺動可能に軸支されている。すなわち、第１作動板５２及び第２作動板５３は、それぞれが軸５６を中心に正逆両方向に揺動可能になっている。
【００４０】
第１作動板５２及び第２作動板５３は、軸５６を境として、一端側がそれぞれ第１従動部５２ａ及び第２従動部５３ａとされ、他端側がそれぞれ第１押圧作動部５２ｂ及び第２押圧作動部５３ｂとされている。そして、第１作動板５２及び第２作動板５３は、板カム５１を第１従動部５２ａと第２従動部５３ａとで挟むように配置されている。第１従動部５２ａ及び第２従動部５３ａは、その先端側がそれぞれ板カム５１側に屈曲しており、これらの先端はそれぞれ板カム５１の外周縁、すなわち、第１カム面５１ａまたは第２カム面５１ｂに摺接するようになっている。
【００４１】
第１従動部５２ａと第２押圧作動部５３ｂとの間には第１コイルばね５７が介在されており、該第１コイルばね５７により第１従動部５２ａと第２押圧作動部５３ｂとが常に離間する方向に付勢されるようになっている。同様に、第２従動部５３ａと第１押圧作動部５２ｂとの間には第２コイルばね５８が介在され、該第２コイルばね５８により第２従動部５３ａと第１押圧作動部５２ｂとが常に離間する方向に付勢されるようになっている。
【００４２】
したがって、第１従動部５２ａ及び第２従動部５３ａの先端は、第１コイルばね５７及び第２コイルばね５８の付勢力により、それぞれ常に板カム５１の外周縁（第１カム面５１ａまたは第２カム面５１ｂ）に押し付けられるようになっている。第１押圧作動部５２ｂの先端部における内側面には円板状の第１凸部５２ｃが設けられているとともに、第２押圧作動部５３ｂの先端部における内側面には第２凸部５３ｃが設けられている。すなわち、第１凸部５２ｃ及び第２凸部５３ｃは互いに対向している。
【００４３】
そして、第１押圧作動部５２ｂと第２押圧作動部５３ｂとの間、すなわち第１凸部５２ｃと第２凸部５３ｃとの間には、上述した切換ユニット２５Ａが配置されている。この場合、切換ユニット２５Ａにおいて、第１開閉弁４３は第１フィルム４５を隔てて第１凸部５２ｃと対向しているとともに、第２開閉弁４４は第２フィルム４６を隔てて第２凸部５３ｃと対向している。
【００４４】
そして、板カム５１の回動角度を変化させることで、第１凸部５２ｃが第１フィルム４５越しに第１開閉弁４３を左側から右側に向かって押圧したり第２凸部５３ｃが第２フィルム４６越しに第２開閉弁４４を右側から左側に向かって押圧したりするように、第１作動板５２及び第２作動板５３がそれぞれ軸５６を中心として揺動するようになっている。
【００４５】
また、第１開閉弁４３は、第１凸部５２ｃにより第１フィルム４５を介して左側から右側に向かって押圧されて該第１開閉弁４３の右面が第１収容凹部３３の底面３３ａに密着した場合には、該底面３３ａにおける連結路３５（第１連結路４０）の開口及び第１流路３６の開口を閉塞した閉弁状態（図５に示す状態）となるように構成されている。そして、第１開閉弁４３が閉弁状態にある場合には、連結路３５（第１連結路４０）と第１流路３６とは非連通状態になっている。
【００４６】
さらに、第１開閉弁４３は、第１凸部５２ｃが第１フィルム４５から離間した位置にある場合には、該第１開閉弁４３の右面が第１収容凹部３３の底面３３ａから離間した開弁状態（図３または図４に示す状態）となることが許容されるように構成されている。そして、第１開閉弁４３が開弁状態にある場合には、連結路３５（第１連結路４０）と第１流路３６とは連通状態になっている。
【００４７】
一方、第２開閉弁４４は、第２凸部５３ｃにより第２フィルム４６を介して右側から左側に向かって押圧されて該第２開閉弁４４の左面が第２収容凹部３４の底面３４ａに密着した場合には、該底面３４ａにおける連結路３５（第２連結路４１）の開口及び第２流路３７の開口を閉塞した閉弁状態（図４に示す状態）となるように構成されている。そして、第２開閉弁４４が閉弁状態にある場合には、連結路３５（第２連結路４１）と第２流路３７とは非連通状態になっている。
【００４８】
さらに、第２開閉弁４４は、第２凸部５３ｃが第２フィルム４６から離間した位置にある場合には、該第２開閉弁４４の左面が第２収容凹部３４の底面３４ａから離間した開弁状態（図３または図５に示す状態）となることが許容されるように構成されている。そして、第２開閉弁４４が開弁状態にある場合には、連結路３５（第２連結路４１）と第２流路３７とは連通状態になっている。
【００４９】
なお、図３には第１開閉弁４３及び第２開閉弁４４の双方が開弁されている状態、すなわち、第１開閉弁４３の右面と第１収容凹部３３の底面３３ａとの間及び第２開閉弁４４の左面と第２収容凹部３４の底面３４ａとの間の双方に隙間が形成された状態が示されている。
【００５０】
次に、切換装置２５の作用について説明する。
さて、記録ヘッド１８に供給するインクをマットブラックインクからフォトブラックインクに切り換える場合には、図４に示すように、まず、板カム５１を回動させて、第１作動板５２の第１従動部５２ａが板カム５１の第１カム面５１ａに係合するとともに、第２作動板５３の第２従動部５３ａが板カム５１の第２カム面５１ｂに係合するようにする。
【００５１】
すると、第２作動板５３はその第２凸部５３ｃが第２フィルム４６を介して第２開閉弁４４を右側から左側に向かって押圧するように揺動するとともに、第１作動板５２はその第１凸部５２ｃが第１フィルム４５から離間するように揺動する。これにより、第２開閉弁４４は閉弁方向である左方向に変位されるため、第２開閉弁４４は、第２収容凹部３４の底面３４ａに密着するとともに、伝達部材４２を左方向に押圧する。このとき、第２収容凹部３４の底面３４ａは、第２開閉弁４４の弁座として機能する。
【００５２】
すると、この押圧に伴って第１開閉弁４３が伝達部材４２によって左方向に向かって押圧されるため、第１開閉弁４３はその右面が窪むように撓みながら左方向に変位される。第１開閉弁４３が左方向へ変位されると、該第１開閉弁４３は、第１収容凹部３３の底面３３ａから離間するとともに、第１フィルム４５を左方向へ押圧する。この押圧により、第１フィルム４５は、左方向に向かって膨出するように撓んだ状態となる。
【００５３】
この状態では、第１開閉弁４３が開弁されるとともに第２開閉弁４４が閉弁された状態になっている。つまり、第２凸部５３ｃから付与される押圧力が第２開閉弁４４を閉弁する閉弁力となり、この第２開閉弁４４を閉弁する閉弁力が伝達部材４２により第１開閉弁４３を開弁する開弁力として該第１開閉弁４３に伝達される。したがって、第２開閉弁４４の閉弁と第１開閉弁４３の開弁とは同時に行われる。
【００５４】
そして、記録ヘッド１８のノズル列２０ａを構成する各ノズルの開口から前回使用していたインクであるマットブラックインクをフラッシングによってキャップ２７内に吐出すると、フォトブラックインクが第１流路３６から第１収容凹部３３内を介して第１連結路４０内に流れ込む。この場合のフラッシングでは、選択的にノズル列２０ａを構成する各ノズルの開口からのみインクが吐出される。そして、第１連結路４０内に流れ込んだフォトブラックインクは、第３流路３９を介して第３接続管３８内に流れ込むようになり、記録ヘッド１８に供給されるインクがマットブラックインクからフォトブラックインクに切り換えられる。
【００５５】
一方、記録ヘッド１８に供給するインクをフォトブラックインクからマットブラックインクに切り換える場合には、図５に示すように、まず、板カム５１を回動させて、第１作動板５２の第１従動部５２ａが板カム５１の第２カム面５１ｂに係合するとともに、第２作動板５３の第２従動部５３ａが板カム５１の第１カム面５１ａに係合するようにする。
【００５６】
すると、第１作動板５２はその第１凸部５２ｃが第１フィルム４５を介して第１開閉弁４３を左側から右側に向かって押圧するように揺動するとともに、第２作動板５３はその第２凸部５３ｃが第２フィルム４６から離間するように揺動する。これにより、第１開閉弁４３は閉弁方向である右方向に変位されるため、第１開閉弁４３は、第１収容凹部３３の底面３３ａに密着するとともに、伝達部材４２を右方向に押圧する。このとき、第１収容凹部３３の底面３３ａは、第１開閉弁４３の弁座として機能する。
【００５７】
すると、この押圧に伴って第２開閉弁４４が伝達部材４２によって右方向に向かって押圧されるため、第２開閉弁４４はその左面が窪むように撓みながら右方向に変位される。第２開閉弁４４が右方向へ変位されると、該第２開閉弁４４は、第２収容凹部３４の底面３４ａから離間するとともに、第２フィルム４６を右方向へ押圧する。この押圧により、第２フィルム４６は、右方向に向かって膨出するように撓んだ状態となる。
【００５８】
この状態では、第２開閉弁４４が開弁されるとともに第１開閉弁４３が閉弁された状態になっている。つまり、第１凸部５２ｃから付与される押圧力が第１開閉弁４３を閉弁する閉弁力となり、この第１開閉弁４３を閉弁する閉弁力が伝達部材４２により第２開閉弁４４を開弁する開弁力として該第２開閉弁４４に伝達される。したがって、第１開閉弁４３の閉弁と第２開閉弁４４の開弁とは同時に行われる。
【００５９】
そして、記録ヘッド１８のノズル列２０ａを構成する各ノズルの開口から前回使用していたインクであるフォトブラックインクをフラッシングによってキャップ２７内に吐出すると、マットブラックインクが第２流路３７から第２収容凹部３４内を介して第２連結路４１内に流れ込む。この場合のフラッシングでは、選択的にノズル列２０ａを構成する各ノズルの開口からのみインクが吐出される。そして、第２連結路４１内に流れ込んだマットブラックインクは、第３流路３９を介して第３接続管３８内に流れ込むようになり、記録ヘッド１８に供給されるインクがフォトブラックインクからマットブラックインクに切り換えられる。
【００６０】
このように、フォトブラックインクとマットブラックインクとの間で使用インクを切り換える場合には、第１作動板５２を揺動させることで第１凸部５２ｃによって第１開閉弁４３を閉弁方向に押圧したり、第２作動板５３を揺動させることで第２凸部５３ｃによって第２開閉弁４４を閉弁方向に押圧したりする必要がある。
【００６１】
この場合、１つの回転式の板カム５１の回動（回転駆動）によって、互いに交差するように軸支された第１作動板５２及び第２作動板５３の双方が揺動されるので、板カム５１を直線的にスライド移動する直動式のカムに変更した場合に比べて、カムの駆動時に必要とするスペースが少なくてすむ。このため、駆動ユニット２５Ｂ（切換装置２５）の小型化が可能となる。
【００６２】
次に、インクジェット式プリンタ１１において、フォトブラックインクとマットブラックインクとを同時に初期充填する際の作用について説明する。
フォトブラックインクとマットブラックインクとを同時に初期充填するためには、図３に示すように、切換装置２５を、第１開閉弁４３及び第２開閉弁４４の双方が開弁された状態に切り換える必要がある。
【００６３】
そこで、まず、第１開閉弁４３が開弁されるともに第２開閉弁４４が閉弁された状態（図４に示す状態；フォトブラックインクが選択されている状態）から第１開閉弁４３及び第２開閉弁４４の双方が開弁された状態（図３に示す状態）への切換装置２５の切換方法について説明する。
【００６４】
さて、図４に示すように、第１開閉弁４３が開弁されるともに第２開閉弁４４が閉弁された状態では、第１作動板５２の第１従動部５２ａが板カム５１の第１カム面５１ａに係合するとともに、第２作動板５３の第２従動部５３ａが板カム５１の第２カム面５１ｂに係合した状態になっている。
【００６５】
そして、まず、この状態から板カム５１を前面視で反時計回りに１８０度回動させる。すると、図５に示すように、第１作動板５２の第１従動部５２ａが板カム５１の第２カム面５１ｂに係合するとともに、第２作動板５３の第２従動部５３ａが板カム５１の第１カム面５１ａに係合した状態、すなわち第１開閉弁４３が閉弁されるともに第２開閉弁４４が開弁された状態になる。
【００６６】
続いて、この状態から板カム５１を前面視で時計回りに９０度回動させる。すると、図３に示すように、第１作動板５２の第１従動部５２ａ及び第２作動板５３の第２従動部５３ａの双方が板カム５１の第１カム面５１ａに係合した状態になる。この状態では、第１凸部５２ｃ及び第２凸部５３ｃが第１フィルム４５及び第２フィルム４６からそれぞれ離間するように第１作動板５２及び第２作動板５３が揺動した状態になっている。
【００６７】
このため、右方向へ膨出するように撓んでいた第２フィルム４６は自身の弾性復元力により元の形状に戻るため、該第２フィルム４６により第２開閉弁４４が若干左方向へ押圧移動される。この第２開閉弁４４の押圧移動により伝達部材４２及び第１開閉弁４３も若干左方向へ押圧移動されるため、第１開閉弁４３及び第２開閉弁４４の双方が開弁された状態に切換装置２５が切り換えられる。
【００６８】
ここで、第１開閉弁４３が開弁されるともに第２開閉弁４４が閉弁された状態（図４に示す状態）が長時間続いていた場合、この状態から板カム５１を前面視で反時計回りに９０度回動させて第２凸部５３ｃを第２フィルム４６から離間しただけでは第２開閉弁４４の左面が第２収容凹部３４の底面３４ａに貼り付いているため、第２開閉弁４４は開弁されない。
【００６９】
この点、本実施形態では、開弁している第１開閉弁４３を閉弁することで、一旦第２開閉弁４４を第２収容凹部３４の底面３４ａから引き離してから、第１凸部５２ｃ及び第２凸部５３ｃを第１フィルム４５及び第２フィルム４６からそれぞれ離間するようにしている。このため、切換装置２５は、第１開閉弁４３及び第２開閉弁４４の双方が開弁された状態（図３に示す状態）へと確実に切り換えられる。
【００７０】
その後、記録ヘッド１８の各ノズル列２０ａ〜２０ｃを囲うように該記録ヘッド１８にキャップ２７を当接した状態で該キャップ２７内を吸引ポンプ（図示略）によって吸引することで、インクカートリッジ２２ａ及びインクカートリッジ２２ｂから切換ユニット２５Ａまでの各流路内にフォトブラックインクとマットブラックインクとが同時に初期充填される。
【００７１】
次に、第１開閉弁４３が閉弁されるともに第２開閉弁４４が開弁された状態（図５に示す状態；マットブラックインクが選択されている状態）から第１開閉弁４３及び第２開閉弁４４の双方が開弁された状態（図３に示す状態）への切換装置２５の切換方法について説明する。
【００７２】
さて、図５に示すように、第１開閉弁４３が閉弁されるともに第２開閉弁４４が開弁された状態では、第１作動板５２の第１従動部５２ａが板カム５１の第２カム面５１ｂに係合するとともに、第２作動板５３の第２従動部５３ａが板カム５１の第１カム面５１ａに係合した状態になっている。
【００７３】
そして、まず、この状態から板カム５１を前面視で時計回りに１８０度回動させる。すると、図４に示すように、第１作動板５２の第１従動部５２ａが板カム５１の第１カム面５１ａに係合するとともに、第２作動板５３の第２従動部５３ａが板カム５１の第２カム面５１ｂに係合した状態、すなわち第１開閉弁４３が開弁されるともに第２開閉弁４４が閉弁された状態になる。
【００７４】
続いて、この状態から板カム５１を前面視で反時計回りに９０度回動させる。すると、図３に示すように、第１作動板５２の第１従動部５２ａ及び第２作動板５３の第２従動部５３ａの双方が板カム５１の第１カム面５１ａに係合した状態になる。この状態では、第１凸部５２ｃ及び第２凸部５３ｃが第１フィルム４５及び第２フィルム４６からそれぞれ離間するように第１作動板５２及び第２作動板５３が揺動した状態になっている。
【００７５】
このため、左方向へ膨出するように撓んでいた第１フィルム４５は自身の弾性復元力により元の形状に戻るため、該第１フィルム４５により第１開閉弁４３が若干右方向へ押圧移動される。この第１開閉弁４３の押圧移動により伝達部材４２及び第２開閉弁４４も若干右方向へ押圧移動されるため、第１開閉弁４３及び第２開閉弁４４の双方が開弁された状態に切換装置２５が切り換えられる。
【００７６】
ここで、第１開閉弁４３が閉弁されるともに第２開閉弁４４が開弁された状態（図５に示す状態）が長時間続いていた場合、この状態から板カム５１を前面視で時計回りに９０度回動させて第１凸部５２ｃを第１フィルム４５から離間しただけでは第１開閉弁４３の右面が第１収容凹部３３の底面３３ａに貼り付いているため、第１開閉弁４３は開弁されない。
【００７７】
この点、本実施形態では、開弁している第２開閉弁４４を閉弁することで、一旦第１開閉弁４３を第１収容凹部３３の底面３３ａから引き離してから、第１凸部５２ｃ及び第２凸部５３ｃを第１フィルム４５及び第２フィルム４６からそれぞれ離間するようにしている。このため、切換装置２５は、第１開閉弁４３及び第２開閉弁４４の双方が開弁された状態（図３に示す状態）へと確実に切り換えられる。
【００７８】
その後、記録ヘッド１８の各ノズル列２０ａ〜２０ｃを囲うように該記録ヘッド１８にキャップ２７を当接した状態で該キャップ２７内を吸引ポンプ（図示略）によって吸引することで、インクカートリッジ２２ａ及びインクカートリッジ２２ｂから切換ユニット２５Ａまでの各流路内にフォトブラックインクとマットブラックインクとが同時に初期充填される。
【００７９】
以上、詳述した実施形態によれば以下の効果を得ることができる。
（１）通常、第１開閉弁４３及び第２開閉弁４４のうちの一方が開弁されるとともに他方が閉弁された状態が長時間続いた後、両開閉弁４３，４４の双方を開弁する場合には、開弁動作が許容されても長時間閉弁された状態にあった方の開閉弁（第１開閉弁４３または第２開閉弁４４）が弁座（第１収容凹部３３の底面３３ａまたは第２収容凹部３４の底面３４ａ）に貼り付いて開弁されなくなってしまう。この点、本実施形態では、両開閉弁４３，４４のうちの一方が開弁しているとともに他方が閉弁している状態から両開閉弁４３，４４の双方が開弁している状態にする場合に、両開閉弁４３，４４のうちの開弁している一方を閉弁することで、伝達部材４２を介して閉弁している他方を一旦開弁してから両開閉弁４３，４４の双方の開弁動作を許容している。このため、両開閉弁４３，４４のうちの一方が開弁されるとともに他方が閉弁された状態が長時間続くことで閉弁された状態にあった方の開閉弁が弁座に貼り付いたとしても、この長時間閉弁された状態にあった方の開閉弁を、両開閉弁４３，４４の双方の開弁動作が許容される前に一旦開弁することで、弁座から確実に離間させることができる。したがって、両開閉弁４３，４４のうちの一方が開弁されるとともに他方が閉弁された状態が長時間続いた後に両開閉弁４３，４４の双方を開弁する場合でも、この両開閉弁４３，４４のうちの長時間閉弁された状態にあった方の開閉弁を確実に開弁することができる。
【００８０】
（２）一般に、回転式のカムは、直線的にスライド移動する直動式のカムに比べて、駆動時に必要とするスペースが少ない。この点、本実施形態によれば、第１開閉弁４３及び第２開閉弁４４を開閉動作させる第１作動板５２及び第２作動板５３が回転式の板カム５１の回動に伴って駆動（揺動）されるため、直動式のカムで第１作動板５２及び第２作動板５３を駆動させる場合に比べて必要とするスペースを少なくすることができる。したがって、記録ヘッド１８へ供給するインクの種類を切り換えるための切換装置２５を小型化することができ、ひいてはインクジェット式プリンタ１１の小型化に寄与できる。
【００８１】
（３）１つの回転式の板カム５１の回動により、第１作動板５２及び第２作動板５３の双方を駆動することができるため、第１作動板５２及び第２作動板５３を別々のカムによってそれぞれ駆動させる場合に比べて部品点数を少なくすることができる。
【００８２】
（４）板カム５１を一方向に回転駆動することで、第１作動板５２及び第２作動板５３がそれぞれ揺動することにより、第１開閉弁４３及び第２開閉弁４４のうち、一方が閉弁されるとともに他方が開弁される状態と一方が開弁されるとともに他方が閉弁される状態との間で順次交互に切り換えることができる。
【００８３】
（５）第１作動板５２の第１従動部５２ａ及び第２作動板５３の第２従動部５３ａの双方が板カム５１の第１カム面５１ａに係合するように該板カム５１を駆動することで、第１開閉弁４３及び第２開閉弁４４の双方の開弁動作を同時に許容することができる。
【００８４】
（６）マットブラックインクとフォトブラックインクとの間でのインクの切り換えは、選択的にノズル列２０ａを構成する各ノズルの開口からのみインクが吐出されるフラッシングによって行われるため、インクの切り換え時に、マットブラックインク及びフォトブラックインク以外のインクを消費しないようにすることができる。因みに、全ノズル列２０ａ〜２０ｃをまとめて囲う一体型のキャップ２７を用いて、クリーニングによってマットブラックインクとフォトブラックインクとの間でのインクの切り換えを行った場合には、マットブラックインク及びフォトブラックインク以外のインクを無駄に消費してしまう。
【００８５】
（変更例）
なお、上記実施形態は以下のように変更してもよい。
・回転式のカムは、実施形態の板カム５１の形状に限定されない。すなわち、回転式のカムは、アクチュエータが係合した場合に、そのアクチュエータに開閉弁の開弁動作を許容する方向に揺動運動を付与するカム面と、そのアクチュエータに開閉弁を閉弁動作させる方向に揺動運動を付与するカム面とが形成されているものであればどのような形状であってもよい。
【００８６】
・第１作動板５２及び第２作動板５３を別々の回転式の板カム５１によってそれぞれ駆動するようにしてもよい。
・本実施形態では、切換装置２５により、マットブラックインクとフォトブラックインクとの間でインクの切り換えを行うようにしているが、同色インクにおける濃色インクと淡色インクとの間でインクの切り換えを行うようにしてもよい。例えば、シアンインクとライトシアンインクとの間、あるいはマゼンタインクとライトマゼンタインクとの間でインクの切り換えを行うようにしてもよい。
【００８７】
・切換装置２５を、初期充填を行う場合と同様の方法で両開閉弁４３，４４の双方を開弁状態とし、この状態でクリーニングを行うようにしてもよい。このようにすれば、マットブラックインクとフォトブラックインクとの双方のクリーニングを同時に行うことができる。
【００８８】
・上記実施形態では、液体噴射装置をインクジェット式プリンタ１１に具体化したが、インク以外の他の液体（機能材料の粒子が液体に分散又は混合されてなる液状体、ゲルのような流状体を含む）を噴射する液体噴射装置に具体化してもよい。そして、本明細書における「液体」には、例えば、無機溶剤、有機溶剤、溶液、液状樹脂、液状金属（金属融液）等を含むほか、液状体、流状体などが含まれる。
【図面の簡単な説明】
【００８９】
【図１】実施形態のインクジェット式プリンタの平面概略図。
【図２】同プリンタのキャリッジの正面簡略図。
【図３】第１開閉弁及び第２開閉弁の双方が開弁された状態の切換装置の断面図。
【図４】第１開閉弁が開弁されるとともに第２開閉弁が閉弁された状態の切換装置の断面図。
【図５】第１開閉弁が閉弁されるとともに第２開閉弁が開弁された状態の切換装置の断面図。
【符号の説明】
【００９０】
１１…液体噴射装置としてのインクジェット式プリンタ、１８…液体噴射ヘッドとしての記録ヘッド、２５…切換装置、３１…第１供給路を構成する第１接続管、３２…第２供給路を構成する第２接続管、３３…第１供給路を構成する第１収容凹部、３４…第２供給路を構成する第２収容凹部、３６…第１供給路を構成する第１流路、３７…第２供給路を構成する第２流路、３８…ヘッド側供給路を構成する第３接続管、３９…ヘッド側供給路を構成する第３流路、４０…第１供給路を構成する第１連結路、４１…第２供給路を構成する第２連結路、４２…伝達部材、４３…第１開閉弁、４４…第２開閉弁、５１…回転式のカムとしての板カム、５１ａ…第１カム面、５１ｂ…第２カム面、５２…アクチュエータを構成する第１アクチュエータとしての第１作動板、５３…アクチュエータを構成する第２アクチュエータとしての第２作動板、５５…制御手段としての制御部、Ｇ…合流点。
【図１】
2009045863.tif 000003
【図２】
2009045863.tif 000004
【図３】
2009045863.tif 000005
【図４】
2009045863.tif 000006
【図５】
2009045863.tif 000007